(57)【要約】【課題】加熱の少ない偏光素子を用いつつ斜め入射光束の漏れを低減して高コントラストを実現することができるプロジェクターを提供すること。【解決手段】第１偏光素子６２ｂが、反射光を用いる反射型偏光素子であり、入射面に対し偏光の反射軸ＲＸが略垂直になるように配置されており、第２偏光素子６３ｂが、透過光を用いる偏光素子であり、偏光の透過軸ＴＸが反射軸ＲＸに垂直な方向に延びるように配置されているので、結果的に、第１偏光素子６２ｂの光学軸ＯＡ１と、第２偏光素子６３ｂの光学軸ＯＡ２とを平行に配置することができる。つまり、システム光軸ＳＡに沿った中心光束と斜め入射光束とに対して、第１偏光素子６２ｂの光学軸ＯＡ１と、第２偏光素子６３ｂの光学軸ＯＡ２との見かけ上の角度関係を保持することができるので、斜め入射光束の漏れを低減して高コントラストを実現することができる。【選択図】図２
2011090025.tif 000002
【特許請求の範囲】
【請求項１】
照明装置から射出された各色の光束をそれぞれ変調する複数の光変調装置と、
前記複数の光変調装置で変調された各色の変調光を合成する光合成部と、を備え、
前記複数の光変調装置のうち少なくとも１つの光変調装置は、偏光変調型の変調パネルと、前記変調パネルの光入射側に配置される第１偏光素子と、前記変調パネルの光射出側に配置される第２偏光素子とを有し、
前記第１及び第２偏光素子のうち一方は、反射光を用いる反射型偏光素子であり、反射の前後におけるシステム光軸を含む平面に対し反射軸が略垂直になるように配置されており、
前記第１及び第２偏光素子のうち他方は、透過光を用いる偏光素子であり、透過軸が前記反射軸に垂直な方向に延びるように配置されている、
プロジェクター。
【請求項２】
前記反射光を用いる反射型偏光素子は、ｅ−タイプの偏光素子である、請求項１に記載のプロジェクター。
【請求項３】
前記反射光を用いる反射型偏光素子は、基板上に複屈折性を与える構造を形成した構造性複屈折型の偏光素子である、請求項２に記載のプロジェクター。
【請求項４】
前記反射光を用いる反射型偏光素子は、前記基板上にワイヤグリッドを有し、グリッド方向を前記反射軸とする、請求項３に記載のプロジェクター。
【請求項５】
前記反射光を用いる反射型偏光素子は、前記基板の表面側で対象とする偏光を反射する、請求項３及び請求項４のいずれか一項に記載のプロジェクター。
【請求項６】
前記透過光を用いる偏光素子は、ｏ−タイプの偏光素子である、請求項１から請求項５までのいずれか一項に記載のプロジェクター。
【請求項７】
前記透過光を用いる偏光素子は、反射型偏光素子であり、システム光軸に略垂直に延びるように配置されている、請求項６に記載のプロジェクター。
【請求項８】
前記透過光を用いる偏光素子は、有機フィルムで形成された透過型偏光素子である、請求項６に記載のプロジェクター。
【発明の詳細な説明】
【技術分野】
【０００１】
本発明は、光変調装置によって変調された光束を画像として投射するプロジェクターに関する。
【背景技術】
【０００２】
プロジェクターとして、透過型液晶アレイ等である透過型アレイの光入射側に通常の偏光板を配置するとともに、透過型アレイの光射出側にワイヤグリッド型偏光分離素子を配置することによって、変調光を取り出すものが存在する（特許文献１参照）。
【先行技術文献】
【特許文献】
【０００３】
【特許文献１】米国特許第６６６６５５６号
【発明の概要】
【発明が解決しようとする課題】
【０００４】
上記特許文献１に開示のプロジェクターでは、加熱の少ないワイヤグリッド型偏光分離素子を用いているが、光入射側の偏光板の光学軸と、光射出側のワイヤグリッド型偏光分離素子の光学軸とについて配置関係が考慮されていない。このため、上記のようなプロジェクターでは、光軸に対して斜めに入射する斜め入射光束の漏れが増加してコントラストが低下する可能性がある。
【０００５】
そこで、本発明は、加熱の少ない偏光素子を用いつつ斜め入射光束の漏れを低減して高コントラストを実現することができるプロジェクターを提供することを目的とする。
【課題を解決するための手段】
【０００６】
上記課題を解決するため、本発明に係るプロジェクターは、照明装置から射出された各色の光束をそれぞれ変調する複数の光変調装置と、複数の光変調装置で変調された各色の変調光を合成する光合成部とを備える。そして、複数の光変調装置のうち少なくとも１つの光変調装置が、偏光変調型の変調パネルと、変調パネルの光入射側に配置される第１偏光素子と、変調パネルの光射出側に配置される第２偏光素子とを有し、第１及び第２偏光素子のうち一方が、反射光を用いる反射型偏光素子であり、反射の前後におけるシステム光軸を含む平面に対し偏光の反射軸が略垂直になるように配置されており、第１及び第２偏光素子のうち他方が、透過光を用いる偏光素子であり、透過軸が反射軸に垂直な方向に延びるように配置されている。
【０００７】
上記プロジェクターによれば、第１及び第２偏光素子のうち一方が、反射光を用いる反射型偏光素子であり、反射の前後におけるシステム光軸を含む平面に対し偏光の反射軸が略垂直になるように配置されており、第１及び第２偏光素子のうち他方が、透過光を用いる偏光素子であり、偏光の透過軸が反射軸に垂直な方向に延びるように配置されているので、結果的に、第１偏光素子の光学軸と第２偏光素子の光学軸とを平行に配置することができる。つまり、システム光軸に沿った中心光束と斜め入射光束とに対して、第１及び第２偏光素子の光学軸の見かけ上の角度関係を保持することができるので、斜め入射光束の漏れを低減して高コントラストを実現することができる。なお、第１及び第２偏光素子のうち少なくとも一方を反射型偏光素子とすることで、光変調装置の加熱を抑え耐久性を高めることができる。
【０００８】
また、本発明の具体的な態様又は側面によれば、上記プロジェクターにおいて、反射光を用いる反射型偏光素子は、ｅ−タイプの偏光素子である。ここで、ｅ−タイプの偏光素子とは、通常光を排除しながら異常光を取り出して利用させるものを意味するものとし、反射型偏光素子の場合、利用される偏光の反射軸が異常光に対応する光学軸に平行になる。
【０００９】
本発明の別の側面によれば、反射光を用いる反射型偏光素子が、基板上に複屈折性を与える構造を形成した構造性複屈折型の偏光素子である。この場合、反射型偏光素子を温度等の使用環境に対して安定性が高いものとできる。
【００１０】
本発明のさらに別の側面によれば、反射光を用いる反射型偏光素子が、基板上にワイヤグリッドを有し、グリッド方向を反射軸とする。この場合、比較的低コストで反射型偏光素子の信頼性を高めることができる。
【００１１】
本発明のさらに別の側面によれば、反射光を用いる反射型偏光素子が、基板の表面側で対象とする偏光を反射する。この場合、基板による光の乱れを低減することができ、光変調の精度を高めることができる。
【００１２】
本発明のさらに別の側面によれば、上述した透過光を用いる偏光素子が、ｏ−タイプの偏光素子である。ここで、ｏ−タイプの偏光素子とは、異常光を排除しながら通常光を取り出して利用させるものを意味するものとし、利用される偏光の透過軸が異常光に対応する光学軸に垂直になる。
【００１３】
本発明のさらに別の側面によれば、透過光を用いる偏光素子が、反射型偏光素子であり、システム光軸に略垂直に延びるように配置されている。この場合、第１及び第２偏光素子の双方を反射型偏光素子とすることができ、光変調装置の耐久性をさらに高めることができる。
【００１４】
本発明のさらに別の側面によれば、透過光を用いる偏光素子が、有機フィルムで形成された透過型偏光素子である。この場合、光変調装置を比較的低コストで信頼性を有するものとできる。
【図面の簡単な説明】
【００１５】
【図１】第１実施形態に係るプロジェクターの光学系の構成を説明する図である。
【図２】（Ａ）、（Ｂ）は、図１に示すプロジェクターの光変調装置を説明する図である。
【図３】（Ａ）〜（Ｃ）は、図２（Ａ）に示す光変調装置のうち主に偏光素子の動作を説明する図である。
【図４】（Ａ）、（Ｂ）は、第２実施形態に係るプロジェクターの光変調装置等を説明する図である。
【図５】第３実施形態に係るプロジェクターの光学系の構成を説明する図である。
【図６】図５に示すプロジェクターの光変調装置を説明する図である。
【図７】（Ａ）、（Ｂ）は、第４実施形態に係るプロジェクターの光変調装置等を説明する図である。
【発明を実施するための形態】
【００１６】
〔第１実施形態〕
以下、図１を参照して、本発明の第１実施形態に係るプロジェクターの光学系の構成について説明する。なお、図１において、Ｘ、Ｙ、及びＺは、３次元直交座標系を構成する３つの座標軸を意味する。
【００１７】
図示のプロジェクター１００は、照明光を射出する照明光学系２０と、照明光学系２０からの照明光を青緑赤の３つの色光に分離する色分離導光光学系４０と、色分離導光光学系４０から射出された３つの色光を画像情報に応じてそれぞれ変調する光変調部６０と、光変調部６０から射出された各色の画像光を合成する光合成部７０と、光合成部７０によって合成された画像光をスクリーン（不図示）に投射する投射光学系８０とを備える。これらのうち、照明光学系２０から光合成部７０までの部分は、光学部品用筐体（不図示）の内部に収納されている。
【００１８】
以上のプロジェクター１００において、照明光学系２０は、光源装置１０と、凹レンズ１４と、第１及び第２のレンズアレイ１５，１６と、偏光変換装置１７と、重畳レンズ１８とを備える。このうち、光源装置１０は、照明用の光束を射出する光源であり、例えば高圧水銀ランプ等である発光管１１と、発光管１１から重畳レンズ１８等のある前方に射出された光束を発光管１１に戻す副鏡１１ａと、発光管１１から後方に射出された光束を回収して前方に射出させる凹面鏡１２とを備える。凹レンズ１４は、光源装置１０からの光束を平行化する役割を有するが、例えば凹面鏡１２が放物面鏡である場合には、省略することもできる。第１のレンズアレイ１５は、マトリクス状に配置された複数の要素レンズ１５ａからなり、凹ンズ１４から射出された光束を要素レンズ１５ａの区画に対応して分割する。第２のレンズアレイ１６は、複数の要素レンズ１５ａにそれぞれ対応して配置された複数の要素レンズ１６ａからなり、各要素レンズ１５ａからの分割光束の発散状態を調整する。偏光変換装置１７は、レンズアレイ１６から射出された分割光束を第１方向（本実施形態ではＹ方向）に平行な偏光面を有する直線偏光のみに変換して次段光学系に供給する偏光変換部である。重畳レンズ１８は、偏光変換装置１７を経た直線偏光としての照明光ＩＬを全体として適宜収束させることにより、被照明領域すなわち光変調部６０に設けた各色の液晶ライトバルブ６０ｂ，６０ｇ，６０ｒに対する重畳照明を可能にする。つまり、両レンズアレイ１５，１６と重畳レンズ１８とを経た照明光ＩＬは、以下に詳述する色分離導光光学系４０を通って、光変調部６０に設けられた各色の液晶パネル６１ｂ，６１ｇ，６１ｒを均一に重畳照明する。
【００１９】
偏光変換装置１７は、ＰＢＳ及びミラーを組み込んだ構造をそれぞれ有する複数のプリズム素子１７ａと、これらプリズム素子１７ａの一方の光射出面上にそれぞれ貼り付けられる複数の波長板１７ｂとを備える。各プリズム素子１７ａは、Ｙ方向に延びる棒状の部材であり、これら複数のプリズム素子１７ａは、Ｚ方向に配列され、全体としてＹＺ平面に平行に延びる板状に配置される。偏光変換装置１７からは、上述のように第１方向の直線偏光である照明光ＩＬが射出されるが、ここで第１方向とは、プロジェクター１００の光路を直線的に展開した場合における偏光面の方向又は電界の振動方向を意味しており、第１方向の直線偏光は、液晶パネル６１ｂ，６１ｇ，６１ｒの通過によって９０°回転した第２方向に平行な状態に切り換え可能になる。
【００２０】
色分離導光光学系４０は、クロスダイクロイックミラー２１と、ダイクロイックミラー２２と、折曲ミラー２３ａ，２３ｂと、第１レンズ３１ａ、３１ｂと、第２レンズ３２ｂ，３２ｇ，３２ｒとを備える。ここで、クロスダイクロイックミラー２１は、一対の分離面として、第１ダイクロイックミラー２１ａと、第２ダイクロイックミラー２１ｂとを備える。第１及び第２ダイクロイックミラー２１ａ，２１ｂは互いに直交しており、それらの交差軸２１ｃはＹ方向に延びている。第１ダイクロイックミラー２１ａは、照明光ＩＬに含まれる１つの色成分として例えば青（Ｂ）色を反射し、他の色成分として緑（Ｇ）色及び赤（Ｒ）色を透過させる。第２ダイクロイックミラー２１ｂは、上記他の色成分である緑（Ｇ）色及び赤（Ｒ）色を反射し、上記１つの色成分である青（Ｂ）色を透過させる。ダイクロイックミラー２２は、入射した２つの色成分である緑赤（ＧＲ）色のうちの一方として例えば緑（Ｇ）色を反射し、他方として赤（Ｒ）色を透過させる。これにより、照明光学系２０から射出された照明光ＩＬを構成する青光ＬＢ、緑光ＬＧ、及び赤光ＬＲは、第１、第２、及び第３光路ＯＰ１，ＯＰ２，ＯＰ３にそれぞれ導かれ、異なる照明対象にそれぞれ入射する。詳細に説明すると、照明光学系２０からの照明光ＩＬは、クロスダイクロイックミラー２１に入射する。クロスダイクロイックミラー２１の第１ダイクロイックミラー２１ａで反射・分岐された青光ＬＢは、折曲ミラー２３ａ等を経て、液晶ライトバルブ６０ｂの第１偏光素子６２ｂに入射する。また、クロスダイクロイックミラー２１の第２ダイクロイックミラー２１ｂで反射・分岐され、折曲ミラー２３ｂ等を経て、ダイクロイックミラー２２でさらに反射・分岐された緑光ＬＧは、液晶ライトバルブ６０ｇの第１偏光素子６２ｇに入射する。さらに、クロスダイクロイックミラー２１の第２ダイクロイックミラー２１ｂで反射・分岐され、ダイクロイックミラー２２の通過によって分岐された赤光ＬＲは、液晶ライトバルブ６０ｒの第１偏光素子６２ｒに入射する。
【００２１】
なお、第１光路ＯＰ１上に配された第１レンズ３１ａと第２レンズ３２ｂとは、液晶パネル６１ｂに入射する青光ＬＢの角度状態を調整するために設けられている。また、第２光路ＯＰ２上に配された第１レンズ３１ｂと第２レンズ３２ｇとは、液晶パネル６１ｇに入射する緑光ＬＧの角度状態を調整するために設けられている。第３光路ＯＰ３上に配された第１レンズ３１ｂと第２レンズ３２ｒとは、液晶パネル６１ｒに入射する赤光ＬＲの角度状態を調整するために設けられている。ここで、第２レンズ３２ｇ，３２ｒに付随して設けられたカラーフィルタ２５ｇ，２５ｒは、必須のものではないが、液晶パネル６１ｇ，６１ｒに入射する緑光ＬＧ及び赤光ＬＲの輝度バランスを調整するために設けられている。
【００２２】
光変調部６０は、上記した各色用の３つの光路ＯＰ１，ＯＰ２，ＯＰ３に対応して、３つの液晶ライトバルブ６０ｂ，６０ｇ，６０ｒを備える。各液晶ライトバルブ６０ｂ，６０ｇ，６０ｒは、入射した照明光の強度の空間分布を変調する非発光型の光変調装置である。
【００２３】
図２（Ａ）に示すように、Ｂ色用の液晶ライトバルブ６０ｂは、青光ＬＢによって照明される液晶パネル６１ｂと、その光路上流側すなわち光入射側に配置される第１偏光素子６２ｂと、光路下流側すなわち光射出側に配置される第２偏光素子６３ｂとを備える。
【００２４】
Ｂ色用の液晶パネル６１ｂは、透過型の液晶パネルであり、図示による説明を省略するが、透明電極等を有する光透過性の入射側基板と、画素電極等を有する光透過性の駆動基板と、入射側基板及び駆動基板間に密閉封入される液晶層とを備える。
【００２５】
Ｂ色用の第１偏光素子６２ｂは、反射光を用いる反射型偏光素子であり、ｅ−タイプの偏光素子として組み込まれている。より具体的に説明すると、第１偏光素子６２ｂは、システム光軸ＳＡに対して約４５°傾斜した状態で配置された構造性複屈折型の偏光素子である。第１偏光素子６２ｂは、光透過性の本体である基板４１の光路上流の表面上に、Ｙ方向に延びる導電材料製のワイヤグリッドをストライプ状に配列して形成した複屈折構造体４２を設けたものである。第１偏光素子６２ｂは、入射面であるＸＺ面に垂直な第１方向に偏光面を有する第１偏光を反射し、入射面であるＸＺ面に平行な第２方向に偏光面を有する第２偏光を透過させる。なお、第１偏光素子６２ｂでは、複屈折構造体４２が内側に形成されており、複屈折構造体４２を通過した後に基板４１を通過することによる光束の乱れを防止している。
【００２６】
Ｂ色用の第２偏光素子６３ｂは、透過光を用いる反射型偏光素子であり、ｏ−タイプの偏光素子として組み込まれている。より具体的に説明すると、第２偏光素子６３ｂは、第１偏光素子６２ｂと同様に、構造性複屈折型の偏光素子であり、光透過性の本体である基板４３の光路上流の表面上にＹ方向に延びる導電材料製のワイヤグリッドをストライプ状に配列して形成した複屈折構造体４４を設けたものである。ただし、第２偏光素子６３ｂは、システム光軸ＳＡに垂直に延びるように配置されており、ＸＺ面に垂直な第１方向に偏光面を有する第１偏光を反射し、ＸＺ面に平行な第２方向に偏光面を有する第２偏光を透過させる。なお、第２偏光素子６３ｂでは、複屈折構造体４４が内側に形成されており、複屈折構造体４４を通過する前に基板４３を通過することによる光束の乱れを防止している。
【００２７】
以上説明した第１偏光素子６２ｂと第２偏光素子６３ｂとは、クロスニコルを構成するように配置されている。これら第１及び第２偏光素子６２ｂ，６３ｂの間に挟まれた液晶パネル６１ｂは、第１偏光素子６２ｂ側から入射した青光ＬＢを、入力信号に応じて画素単位で部分的に第１方向の第１偏光から第２方向の第２偏光に変化させ、変化後の変調光を第２偏光素子６３ｂ側に射出する。
【００２８】
図３（Ａ）は、第１及び第２偏光素子６２ｂ，６３ｂを屈折率に関連して機能的に説明する図である。第１偏光素子６２ｂは、異常光を利用するｅ−タイプの偏光素子であり、青光ＬＢのうちシステム光軸ＳＡに沿った代表的な中心光束の入射面に垂直な反射軸ＲＸがＹ軸方向に延びている。この第１偏光素子６２ｂを複屈折媒体に見立てると、その３次元的な屈折率楕円体は、ｎｘ、ｎｚが空気の屈折率でｎｙがアルミの屈折率であり、Ｙ軸方向にのみ異なった長さを持つ楕円体となっている。言い換えれば、反射光を利用する第１偏光素子６２ｂの複屈折媒体としての光学軸ＯＡ１は、Ｙ軸方向に延びているとみることができる。つまり、第１偏光素子６２ｂの場合、利用される偏光（反射光）の反射軸ＲＸは、Ｙ軸方向に延びる光学軸ＯＡ１に平行になっている。
【００２９】
一方、第２偏光素子６３ｂは、通常光を利用するｏ−タイプの偏光素子であり、透過軸ＴＸがＸ軸方向に延びている。この第２偏光素子６３ｂを複屈折媒体に見立てると、その３次元的な屈折率楕円体は、ｎｘ、ｎｚが空気の屈折率でｎｙがアルミの屈折率であり、Ｙ軸方向にのみ異なった長さを持つ楕円体となっている。言い換えれば、透過光を利用する第２偏光素子６３ｂの複屈折媒体としての光学軸ＯＡ２は、Ｙ軸方向に延びているとみることができる。つまり、第２偏光素子６３ｂの場合、利用される偏光（透過光）の透過軸ＴＸは、Ｙ軸方向に延びる光学軸ＯＡ２に垂直になっている。
【００３０】
以上のように、第１偏光素子６２ｂの光学軸ＯＡ１と、第２偏光素子６３ｂの光学軸ＯＡ２とは、ともにＹ軸方向に延びて互いに平行になっている。なお、第１偏光素子６２ｂの反射軸ＲＸと、第２偏光素子６３ｂの透過軸ＴＸとは、互いに直交しており、上記したクロスニコルの直交関係を満たしている。
【００３１】
図３（Ｂ）は、図３（Ａ）に示す第１及び第２偏光素子６２ｂ，６３ｂ等を通過する光束の偏光状態を説明するポアンカレ球である。第１及び第２偏光素子６２ｂ，６３ｂは、システム光軸ＳＡに対して傾斜した方向からの斜め入射光束に関して漏れ光を効果的に低減できる。
【００３２】
具体的に説明すると、青光ＬＢのうちシステム光軸ＳＡに沿った代表的な中心光束は、赤道に沿った軸Ｓ２上の点Ｅの状態で第１偏光素子６２ｂから射出され、赤道上で点Ｅの正反対にある点Ｏの状態で第２偏光素子６３ｂから射出される。ここで、液晶パネル６１ｂが例えばＶＡ型で電圧非印加時に偏光をそのままの状態で通過させ、液晶ライトバルブ６０ｂがノーマリブラックモードで動作するものとする。この場合、液晶ライトバルブ６０ｂは、電圧非印加のオフ状態で最大遮光状態（光オフ状態）となる。さらに、青光ＬＢのうちシステム光軸ＳＡに対して傾斜した方向からの斜め入射光束について考える。このような斜め入射光束は、第１及び第２偏光素子６２ｂ，６３ｂを経由する際に、第１偏光素子６２ｂの光学軸ＯＡ１と第２偏光素子６３ｂの光学軸ＯＡ２とが平行であることから、見かけ上の両光学軸ＯＡ１，ＯＡ２の配置関係が保たれるので、システム光軸ＳＡに沿った代表的な中心光束と同様の作用を受ける。具体的には、例えばＸ軸及びＹ軸に対して４５°傾いた方位角（この傾きの方位角は、第１偏光素子６２ｂの反射後を基準とするものとする）からの斜め入射光束は、赤道に沿った軸Ｓ１上の点Ｅ'の状態で第１偏光素子６２ｂから射出され、赤道上で点Ｅ'の正反対にある点Ｏ'の状態で第２偏光素子６３ｂから射出される。つまり、液晶ライトバルブ６０ｂに入射した光束は、システム光軸ＳＡに平行であるか否かに関わらず、第１及び第２偏光素子６２ｂ，６３ｂの直交関係が実質的に保たれるような作用を受けるので、様々な入射角度において漏れ光が減少し、液晶ライトバルブ６０ｂのコントラストを高めることができる。
【００３３】
図３（Ｃ）は、比較例の偏光状態を説明するポアンカレ球である。この場合、例えば第１偏光素子６３ｂがｅ−タイプの偏光素子でなくｏ−タイプの偏光素子であるものとする。青光ＬＢのうちシステム光軸ＳＡに沿った代表的な中心光束は、図３（Ｂ）の場合と同様に、赤道に沿った軸Ｓ２上の点Ｉの状態で第１偏光素子６２ｂから射出され、赤道上で点Ｉの正反対にある点Ｏの状態で第２偏光素子６３ｂから射出される。一方、青光ＬＢのうちシステム光軸ＳＡに対して傾斜した方向からの斜め入射光束は、第１及び第２偏光素子６２ｂ，６３ｂを経由する際に、第１偏光素子６２ｂの光学軸ＯＡ１と第２偏光素子６３ｂの光学軸ＯＡ２とが垂直な方向に延びることから、見かけ上の両光学軸ＯＡ１，ＯＡ２の配置関係が入射の方位角及び極角に伴って変化し、システム光軸ＳＡに沿った代表的な中心光束と異なる作用を受ける。具体的には、例えばＸ軸及びＹ軸に対して４５°傾いた方位角からの斜め入射光束は、赤道に沿った軸Ｓ１上の点Ｉ'の状態で第１偏光素子６２ｂから射出され、赤道上で点Ｉ'の正反対から大きくずれた点Ｏ'の状態で第２偏光素子６３ｂから射出される。つまり、液晶ライトバルブ６０ｂに入射した光束は、システム光軸ＳＡに対する傾斜角又は傾斜角に依存して第１及び第２偏光素子６２ｂ，６３ｂの直交関係が実質的に変化するような作用を受けるので、様々な入射角度に対応して漏れ光が発生し、液晶ライトバルブ６０ｂのコントラストを低下させることになる。
【００３４】
図２（Ａ）に戻って、Ｇ色用の液晶ライトバルブ６０ｇは、緑光ＬＧによって照明される液晶パネル６１ｇと、その光路上流側すなわち光入射側に配置される第１偏光素子６２ｇと、光路下流側すなわち光射出側に配置される第２偏光素子６３ｇとを備える。
【００３５】
Ｇ色用の液晶パネル６１ｇは、Ｂ色用の液晶パネル６１ｂと同様の構造を有する透過型の液晶パネルである。
【００３６】
Ｇ色用の第１偏光素子６２ｇは、Ｂ色用の第１偏光素子６２ｂと同様に、反射光を用いる反射型偏光素子であり、ｅ−タイプの偏光素子として組み込まれている。第１偏光素子６２ｇは、入射面であるＸＺ面に垂直な第１方向に偏光面を有する第１偏光を反射し、これに垂直な第２偏光を透過させる。
【００３７】
Ｇ色用の第２偏光素子６３ｇは、Ｂ色用の第２偏光素子６２ｂと同様に、透過光を用いる反射型偏光素子であり、ｏ−タイプの偏光素子として組み込まれている。第２偏光素子６３ｇは、ＸＺ面に垂直な第１方向に偏光面を有する第１偏光を反射し、これに垂直な第２偏光を透過させる。
【００３８】
以上説明した第１偏光素子６２ｇと第２偏光素子６３ｇとは、クロスニコルを構成するように配置されている。より詳細に説明すると、第１偏光素子６２ｇの光学軸ＯＡ１と、第２偏光素子６３ｇの光学軸ＯＡ２とは、Ｙ軸方向に延びて互いに平行になっている。そして、第１偏光素子６２ｇの反射軸ＲＸと、第２偏光素子６３ｇの透過軸ＴＸとは、互いに直交している。これら第１及び第２偏光素子６２ｇ，６３ｇの間に挟まれた液晶パネル６１ｇは、第１偏光素子６２ｇ側から入射した緑光ＬＧを、入力信号に応じて画素単位で部分的に第１方向の第１偏光から第２方向の第２偏光に変化させ、変化後の変調光を第２偏光素子６３ｇ側に射出する。
【００３９】
図２（Ｂ）に示すように、Ｒ色用の液晶ライトバルブ６０ｒは、赤光ＬＲによって照明される液晶パネル６１ｒと、その光路上流側すなわち光入射側に配置される第１偏光素子６２ｒと、光路下流側すなわち光射出側に配置される第２偏光素子６３ｒとを備える。
【００４０】
Ｒ色用の液晶パネル６１ｒは、Ｂ色用の液晶パネル６１ｂと同様の構造を有する透過型の液晶パネルである。
【００４１】
Ｒ色用の第１偏光素子６２ｒは、Ｂ色用の第１偏光素子６２ｂと同様に、反射光を用いる反射型偏光素子であり、ｅ−タイプの偏光素子として組み込まれている。第１偏光素子６２ｒは、入射面であるＸＺ面に垂直な第１方向に偏光面を有する第１偏光を反射し、これに垂直な第２偏光を透過させる。
【００４２】
Ｒ色用の第２偏光素子６３ｒは、Ｂ色用の第２偏光素子６２ｂと同様に、透過光を用いる反射型偏光素子であり、ｏ−タイプの偏光素子として組み込まれている。第２偏光素子６３ｒは、ＸＺ面に垂直な第１方向に偏光面を有する第１偏光を反射し、これに垂直な第２偏光を透過させる。
【００４３】
以上説明した第１偏光素子６２ｒと第２偏光素子６３ｒとは、クロスニコルを構成するように配置されている。より詳細に説明すると、第１偏光素子６２ｒの光学軸ＯＡ１と、第２偏光素子６３ｒの光学軸ＯＡ２とは、Ｙ軸方向に延びて互いに平行になっている。そして、第１偏光素子６２ｒの反射軸ＲＸと、第２偏光素子６３ｒの透過軸ＴＸとは、互いに直交している。これら第１及び第２偏光素子６２ｒ，６３ｒの間に挟まれた液晶パネル６１ｒは、第１偏光素子６２ｒ側から入射した赤光ＬＲを、入力信号に応じて画素単位で部分的に第１方向の第１偏光から第２方向の第２偏光に変化させ、変化後の変調光を第２偏光素子６３ｒ側に射出する。
【００４４】
図１に戻って、光合成部７０は、４つの直角プリズムを貼り合わせた平面視略正方形状をなし、直角プリズム同士を貼り合わせた界面には、合成面として、Ｘ字状に交差するとともに交差軸７１ｃがＹ方向に延びる一対のダイクロイックミラー７１ａ，７１ｂが形成されている。両ダイクロイックミラー７１ａ，７１ｂは、特性が異なる誘電体多層膜で形成されている。すなわち、一方の第１ダイクロイックミラー７１ａは青光ＬＢを反射し、他方の第１ダイクロイックミラー７１ｂは赤光ＬＲを反射する。この光合成部７０は、液晶ライトバルブ６０ｂからの変調後の青光ＬＢを第１ダイクロイックミラー７１ａで反射して光路を折り曲げることによりＸ方向に射出させ、液晶ライトバルブ６０ｇからの変調後の緑光ＬＧを第１及び第２ダイクロイックミラー７１ａ，７１ｂを透過させることによりＸ方向に直進させ、液晶ライトバルブ６０ｒからの変調後の赤光ＬＲを第１ダイクロイックミラー７１ｂで反射して光路を折り曲げることによりＸ方向に射出させる。光合成部７０の光射出側では、各色光ＬＢ，ＬＧ，ＬＲが重ね合わされて色合成が行われる。なお、図面では省略しているが、光合成部７０とＢ色用の液晶パネル６１ｂとの間や光合成部７０とＲ色用の液晶パネル６１ｒとの間に１／２波長板を配置するともできる。この場合、青光ＬＢや赤光ＬＲをＳ偏光状態でダイクロイックミラー７１ａ，７１ｂに入射させることができ、光合成部７０における各色光ＬＢ，ＬＧ，ＬＲの合成効率を高めることができ、色ムラの発生を抑えることができる。
【００４５】
投射光学系８０は、光合成部７０で合成されたカラーの画像光を、所望の倍率でスクリーン（不図示）上に投射する。つまり、各液晶パネル６１ｂ，６１ｇ，６１ｒに入力された駆動信号或いは画像信号に対応する所望の倍率のカラー動画やカラー静止画がスクリーン上に投射される。
【００４６】
以上の説明から明らかなように、本実施形態のプロジェクター１００によれば、第１偏光素子６２ｂ，６２ｇ，６２ｒが、反射光を用いる反射型偏光素子であり、反射の前後におけるシステム光軸ＳＡを含む入射面に対し偏光の反射軸ＲＸが略垂直になるように配置されており、第２偏光素子６３ｂ，６３ｇ，６３ｒが、透過光を用いる偏光素子であり、偏光の透過軸ＴＸが反射軸ＲＸに垂直になるように配置されているので、結果的に、第１偏光素子６２ｂ，６２ｇ，６２ｒの光学軸ＯＡ１と、第２偏光素子６３ｂ，６３ｇ，６３ｒの光学軸ＯＡ２とを平行に配置することができる。つまり、システム光軸ＳＡに沿った中心光束と斜め入射光束とに対して、第１偏光素子６２ｂ，６２ｇ，６２ｒの光学軸ＯＡ１と、第２偏光素子６３ｂ，６３ｇ，６３ｒの光学軸ＯＡ２との見かけ上の角度関係を保持することができるので、斜め入射光束の漏れを低減して高コントラストを実現することができる。なお、第１偏光素子６２ｂ，６２ｇ，６２ｒを反射型偏光素子とすることで、液晶ライトバルブ６０ｂ，６０ｇ，６０ｒの加熱を抑え耐久性を高めることができる。
【００４７】
〔第２実施形態〕
以下、第２実施形態に係るプロジェクターの光学系の構成について説明する。なお、第２実施形態のプロジェクターは、第１実施形態のプロジェクター１００を変形したものであり、特に説明しない部分は、第１実施形態と同様である。
【００４８】
図４（Ａ）は、図２（Ａ）に対応するもので、第２実施形態に係るプロジェクター１００のＢ色用の液晶ライトバルブ１６０ｂの構造を示している。この場合、Ｂ色用の液晶ライトバルブ１６０ｂは、光変調装置として、青光ＬＢによって照明される液晶パネル６１ｂと、その光路上流側に配置される第１偏光素子６２ｂと、光路下流側に配置される第２偏光素子６３ｂと、第２偏光素子６３ｂの光路下流側に配置される補助偏光素子６５ｂとを備える。
【００４９】
補助偏光素子６５ｂは、透過光を用いる透過型偏光素子であり、ｏ−タイプの偏光素子として組み込まれている。より具体的に説明すると、補助偏光素子６５ｂは、光透過性の本体である基板４５の光路上流の表面上に偏光膜４６を設けたものである。偏光膜４６としては、例えばヨウ素で染色したポリビニルアルコールを延伸することで偏光特性を有する有機フィルムを用いることができる。補助偏光素子６５ｂは、ＸＺ面に垂直な第１方向に偏光面を有する不要な第１偏光を吸収し、これに垂直な第２偏光を透過させる。なお、補助偏光素子６５ｂでは、偏光膜４６が内側に形成されており、偏光膜４６を通過する前に基板４５を通過することによる光束の乱れをある程度抑制する効果がある。
【００５０】
以上の液晶ライトバルブ１６０ｂにおいて、補助偏光素子６５ｂの光学軸ＯＡ３は、第２偏光素子６３ｂの光学軸ＯＡ２と同様にＹ軸方向に延びており、第１偏光素子６２ｂの光学軸ＯＡ１と平行になっている。そして、補助偏光素子６５ｂすなわち第２偏光素子６３ｂの透過軸ＴＸは、第１偏光素子６２ｂの反射軸ＲＸと直交している。
【００５１】
この液晶ライトバルブ１６０ｂの場合、追加の補助偏光素子６５ｂを設けており、液晶ライトバルブ１６０ｂを通過する光束の偏光度を簡易に高めることができる。
【００５２】
なお、図１のプロジェクター１００において、Ｇ色用の液晶ライトバルブ６０ｇやＲ色用の液晶ライトバルブ６０ｒも、上記Ｂ色用の液晶ライトバルブ１６０ｂと同様の構造とすることができる。つまり、第２偏光素子６３ｇ，６３ｒの光路下流側に、追加の補助偏光素子として、透過光を用いるとともに不要光を吸収しｏ−タイプの偏光素子として機能する透過型偏光素子を組み込むことができる。
【００５３】
図４（Ｂ）は、図４（Ａ）に示すＢ色用の液晶ライトバルブ１６０ｂを変形したＢ色用の液晶ライトバルブ２６０ｂの構造を示している。この場合、Ｂ色用の液晶ライトバルブ２６０ｂは、青光ＬＢによって照明される液晶パネル６１ｂと、その光路上流側に配置される第１偏光素子６２ｂと、光路下流側に配置される第２偏光素子２６３ｂとを備える。第２偏光素子２６３ｂは、図４（Ａ）に示す補助偏光素子６５ｂと同一の構造を有している。
【００５４】
以上の液晶ライトバルブ２６０ｂにおいて、第２偏光素子２６３ｂの光学軸ＯＡ２は、Ｙ軸方向に延びており、第１偏光素子６２ｂの光学軸ＯＡ１と平行になっている。そして、第２偏光素子２６３ｂの透過軸ＴＸは、第１偏光素子６２ｂの反射軸ＲＸと直交している。
【００５５】
なお、図１のプロジェクター１００において、Ｇ色用の液晶ライトバルブ６０ｇやＲ色用の液晶ライトバルブ６０ｒも、上記Ｂ色用の液晶ライトバルブ２６０ｂと同様の構造とすることができる。つまり、第２偏光素子６３ｇ，６３ｒに代えて、透過光を用いるとともに不要光を吸収しｏ−タイプの偏光素子として機能する透過型偏光素子を組み込むことができる。
【００５６】
〔第３実施形態〕
以下、第３実施形態に係るプロジェクターの光学系の構成について説明する。なお、第３実施形態のプロジェクターは、第１実施形態のプロジェクター１００を変形したものであり、特に説明しない部分は、第１実施形態と同様である。
【００５７】
図５示すように、本実施形態に係るプロジェクター１００のＢ色用の液晶ライトバルブ３６０ｂは、光変調装置として、青光ＬＢによって照明される液晶パネル６１ｂと、その光路上流側に配置される第１偏光素子３６２ｂと、光路下流側に配置される第２偏光素子３６３ｂとを備える。また、Ｇ色用の液晶ライトバルブ３６０ｇは、光変調装置として、緑光ＬＧによって照明される液晶パネル６１ｇと、その光路上流側に配置される第１偏光素子３６２ｇと、光路下流側に配置される第２偏光素子３６３ｇとを備える。さらに、Ｒ色用の液晶ライトバルブ３６０ｒは、光変調装置として、赤光ＬＲによって照明される液晶パネル６１ｒと、その光路上流側に配置される第１偏光素子３６２ｒと、光路下流側に配置される第２偏光素子３６３ｒとを備える。
【００５８】
図６に示すように、Ｂ色用の第１偏光素子３６２ｂは、透過光を用いる反射型偏光素子であり、ｏ−タイプの偏光素子として組み込まれている。より具体的に説明すると、第１偏光素子３６２ｂは、構造性複屈折型の偏光素子であり、光透過性の本体である基板４３の光路上流の表面上にＹ方向に延びる導電材料製のワイヤグリッドをストライプ状に配列して形成した複屈折構造体４４を設けたものである。第１偏光素子３６２ｂは、システム光軸ＳＡに垂直に延びるように配置されており、ＸＺ面に垂直な第１方向に偏光面を有する第１偏光を反射し、ＸＺ面に平行な第２方向に偏光面を有する第２偏光を透過させる。なお、第１偏光素子３６２ｂでは、複屈折構造体４４が内側に形成されており、複屈折構造体４４を通過した後に基板４３を通過することによる光束の乱れを防止している。
【００５９】
Ｂ色用の第２偏光素子３６３ｂは、反射光を用いる反射型偏光素子であり、ｅ−タイプの偏光素子として組み込まれている。より具体的に説明すると、第２偏光素子３６３ｂは、システム光軸ＳＡに対して４５°傾斜した状態で配置された構造性複屈折型の偏光素子である。第２偏光素子３６３ｂは、光透過性の本体である基板４１の光路上流の表面上に、Ｙ方向に延びる導電材料製のワイヤグリッドをストライプ状に配列して形成した複屈折構造体４２を設けたものである。第２偏光素子３６３ｂは、入射面であるＸＺ面に垂直な第１方向に偏光面を有する第１偏光を反射し、入射面であるＸＺ面に平行な第２方向に偏光面を有する第２偏光を透過させる。なお、第２偏光素子３６３ｂでは、複屈折構造体４２が内側に形成されており、複屈折構造体４２を通過する前に基板４１を通過することによる光束の乱れを防止している。
【００６０】
以上の液晶ライトバルブ３６０ｂにおいて、第１偏光素子３６２ｂと第２偏光素子３６３ｂとは、クロスニコルを構成するように配置されている。より詳細に説明すると、第１偏光素子３６２ｂの光学軸ＯＡ１と、第２偏光素子３６３ｂの光学軸ＯＡ２とは、Ｙ軸方向に延びて互いに平行になっている。そして、第１偏光素子３６２ｇの透過軸ＴＸと、第２偏光素子３６３ｇの反射軸ＲＸとは、互いに直交している。これら第１及び第２偏光素子３６２ｂ，３６３の間に挟まれた液晶パネル６１ｂは、第１偏光素子３６２ｂ側から入射した青光ＬＢを、入力信号に応じて画素単位で部分的に第２方向の第２偏光から第１方向の第１偏光に変化させ、変化後の変調光を第２偏光素子３６３ｂ側に射出する。
【００６１】
なお、図５のプロジェクター１００において、Ｇ色用の液晶ライトバルブ３６０ｇとＲ色用の液晶ライトバルブ３６０ｒも、上記Ｂ色用の液晶ライトバルブ３６０ｂと同様の構造を有する。つまり、液晶ライトバルブ３６０ｇにおいて、第１偏光素子３６２ｇは、透過光を用いる反射型偏光素子で、ｏ−タイプの偏光素子として組み込まれており、第２偏光素子３６３ｇは、反射光を用いる反射型偏光素子で、ｅ−タイプの偏光素子として組み込まれている。また、液晶ライトバルブ３６０ｒにおいて、第１偏光素子３６２ｒは、透過光を用いる反射型偏光素子で、ｏ−タイプの偏光素子として組み込まれており、第２偏光素子３６３ｒは、反射光を用いる反射型偏光素子で、ｅ−タイプの偏光素子として組み込まれている。
【００６２】
〔第４実施形態〕
以下、第４実施形態に係るプロジェクターの光学系の構成について説明する。なお、第４実施形態のプロジェクターは、第３実施形態のプロジェクター１００を変形したものであり、特に説明しない部分は、第３実施形態と同様である。
【００６３】
図７（Ａ）は、図６に対応するもので、第４実施形態に係るプロジェクター１００のＢ色用の液晶ライトバルブ４６０ｂの構造を示している。この場合、Ｂ色用の液晶ライトバルブ４６０ｂは、光変調装置として、青光ＬＢによって照明される液晶パネル６１ｂと、液晶パネル６１ｂの光路下流側に配置される第１偏光素子３６２ｂと、液晶パネル６１ｂの光路下流側に配置される第２偏光素子３６３ｂと、第１偏光素子３６２ｂの光路上流側に配置される第１補助偏光素子４６５ｂと、第２偏光素子３６３ｂの光路下流側に配置される第２補助偏光素子５６５ｂとを備える。
【００６４】
最も光路上流側の第１補助偏光素子４６５ｂは、透過光を用いるとともに不要光を吸収する透過型偏光素子であり、ｏ−タイプの偏光素子として組み込まれている。より具体的に説明すると、第１補助偏光素子４６５ｂは、光透過性の本体である基板４５の光路下流の表面上に偏光膜４６を設けたものである。第１補助偏光素子４６５ｂは、ＸＺ面に垂直な第１方向に偏光面を有する第１偏光を吸収し、これに垂直な第２偏光を透過させる。なお、第１補助偏光素子４６５ｂでは、偏光膜４６が内側に形成されており、偏光膜４６を通過した後に基板４５を通過することによる光束の乱れをある程度抑制する効果がある。
【００６５】
最も光路下流側の第２補助偏光素子５６５ｂは、透過光を用いるとともに不要光を吸収する透過型偏光素子であり、ｏ−タイプの偏光素子として組み込まれている。より具体的に説明すると、第２補助偏光素子５６５ｂは、光透過性の本体である基板４５の光路上流の表面上に偏光膜４６を設けたものである。第２補助偏光素子５６５ｂは、ＸＺ面に垂直な第１方向に偏光面を有する第１偏光を透過させ、これに垂直な第２偏光を吸収する。なお、第２補助偏光素子５６５ｂでは、偏光膜４６が内側に形成されており、偏光膜４６を通過する前に基板４５を通過することによる光束の乱れをある程度抑制する効果がある。
【００６６】
以上の液晶ライトバルブ４６０ｂにおいて、第１補助偏光素子４６５ｂの光学軸ＯＡ３は、第１偏光素子３６２ｂの光学軸ＯＡ１と同様にＹ軸方向に延びており、第２偏光素子３６３ｂの光学軸ＯＡ２と平行になっている。そして、第１補助偏光素子４６５ｂすなわち第１偏光素子３６２ｂの透過軸ＴＸは、第２偏光素子３６３ｂの反射軸ＲＸと直交している。
【００６７】
また、第２補助偏光素子５６５ｂの光学軸ＯＡ４は、第２偏光素子３６３ｂの光学軸ＯＡ２と同様にＹ軸方向に延びており、第１偏光素子３６２ｂの光学軸ＯＡ１と平行になっている。そして、第２補助偏光素子５６５ｂすなわち第２偏光素子３６２ｂの透過軸ＴＸは、第１偏光素子３６２ｂの透過軸ＴＸと直交している。
【００６８】
この液晶ライトバルブ４６０ｂの場合、第１及び第２補助偏光素子４６５ｂ，５６５ｂを設けており、液晶ライトバルブ４６０ｂを通過する光束の偏光度を確実に高めることができる。
【００６９】
なお、図５のプロジェクター１００において、Ｇ色用の液晶ライトバルブ３６０ｇやＲ色用の液晶ライトバルブ３６０ｒも、上記図７（Ａ）のＢ色用の液晶ライトバルブ４６０ｂと同様の構造とすることができる。つまり、第２偏光素子３６３ｇ，３６３ｒの光路上流側及び下流側に、追加の第１及び第２補助偏光素子として、透過光を用いるとともに不要光を吸収しｏ−タイプの偏光素子として機能する透過型偏光素子を組み込むことができる。
【００７０】
図７（Ｂ）は、図７（Ａ）に示すＢ色用の液晶ライトバルブ４６０ｂを変形したＢ色用の液晶ライトバルブ６６０ｂの構造を示している。この場合、Ｂ色用の液晶ライトバルブ６６０ｂは、青光ＬＢによって照明される液晶パネル６１ｂと、その光路上流側に配置される第１偏光素子６６２ｂと、光路下流側に配置される第２偏光素子３６３ｂとを備える。
【００７１】
第１偏光素子６６２ｂは、透過光を用いるとともに不要光を吸収する透過型偏光素子であり、ｏ−タイプの偏光素子として組み込まれている。より具体的に説明すると、第１偏光素子６６２ｂは、光透過性の本体である基板４５の光路下流の表面上に偏光膜４６を設けたものである。第１偏光素子６６２ｂは、ＸＺ面に垂直な第１方向に偏光面を有する第１偏光を吸収し、これに垂直な第２偏光を透過させる。なお、第１偏光素子６６２ｂでは、偏光膜４６が内側に形成されており、偏光膜４６を通過した後に基板４５を通過することによる光束の乱れをある程度抑制する効果がある。
【００７２】
以上の液晶ライトバルブ６６０ｂにおいて、第１偏光素子６６２ｂの光学軸ＯＡ１は、Ｙ軸方向に延びており、第２偏光素子３６３ｂの光学軸ＯＡ２と平行になっている。そして、第１偏光素子６６２ｂの透過軸ＴＸは、第２偏光素子３６３ｂの反射軸ＲＸと直交している。
【００７３】
なお、図５のプロジェクター１００において、Ｇ色用の液晶ライトバルブ３６０ｇやＲ色用の液晶ライトバルブ３６０ｒも、上記Ｂ色用の液晶ライトバルブ６６０ｂと同様の構造とすることができる。つまり、第１偏光素子３６２ｇ，３６２ｒに代えて、透過光を用いるとともに不要光を吸収しｏ−タイプの偏光素子として機能する透過型偏光素子を組み込むことができる。
【００７４】
以上実施形態に即して本発明を説明したが、本発明は、上記の実施形態に限られるものではなく、その要旨を逸脱しない範囲において種々の態様において実施することが可能であり、例えば次のような変形も可能である。
【００７５】
すなわち、上記実施形態において、液晶ライトバルブ６０ｂ，６０ｇ，６０ｒ，３６０ｂ，３６０ｇ，３６０ｒ中に、液晶パネル６１ｂ，６１ｇ，６１ｒを構成する液晶のプレチルト等を補償する光学補償板を挿入することができる。
【００７６】
また、上記実施形態では、第１光路ＯＰ１に青光ＬＢを導き、第２光路ＯＰ２に緑光ＬＧを導き、第３光路ＯＰ３に赤光ＬＲを導いているが、光路と色の組み合わせは変更可能であり、例えば第１光路ＯＰ１に赤光ＬＲを導き、第２光路ＯＰ２に緑光ＬＧを導き、第３光路ＯＰ３に青光ＬＢを導くことができる。
【００７７】
また、色分離導光光学系４０における光路ＯＰ１，ＯＰ２，ＯＰ３の分岐方法は、実施形態に例示するものに限らず、様々なものとすることができる。
【００７８】
上記実施形態のプロジェクター１００では、第１偏光素子６２ｂ，６２ｇ，６２ｒ，３６２ｂ，３６２ｇ，３６２ｒや第２偏光素子６３ｂ，６３ｇ，６３ｒ，３６３ｂ，３６３ｇ，３６３ｒをワイヤグリッド型の複屈折構造体４２，４４で構成するとしたが、これらの偏光素子６２ｂ，６２ｇ，６２ｒ，６３ｂ，６３ｇ，６３ｒ，…を立体的な誘電体層を多層積層することによって得られるフォトニック結晶その他の積層型の複屈折構造体で構成することもできる。
【００７９】
上記実施形態のプロジェクター１００では、照明光学系２０を、光源装置１０、一対のレンズアレイ１５，１６、偏光変換装置１７、及び重畳レンズ１８で構成したが、レンズアレイ１５，１６等については省略することができ、光源装置１０も、ＬＥＤ等の別光源に置き換えることができる。
【００８０】
上記実施形態では、３つの液晶ライトバルブ６０ｂ，６０ｇ，６０ｒ又は液晶ライトバルブ３６０ｂ，３６０ｇ，３６０ｒを用いたプロジェクター１００の例のみを挙げたが、本発明は、1つ又は２つの液晶ライトバルブを用いたプロジェクター、或いは、４つ以上の液晶ライトバルブを用いたプロジェクターにも適用可能である。
【００８１】
上記実施形態では、スクリーンを観察する方向から投射を行なうフロントタイプのプロジェクターの例のみを挙げたが、本発明は、スクリーンを観察する方向とは反対側から投射を行なうリアタイプのプロジェクターにも適用可能である。
【符号の説明】
【００８２】
１０…光源装置、  １４…凹レンズ、  １５，１６…レンズアレイ、  １７…偏光変換装置、  １８…重畳レンズ、  ２０…照明光学系、  ２１…クロスダイクロイックミラー、  ２２…ダイクロイックミラー、  ４０…色分離導光光学系、  ４１，４３…基板、  ４２，４４…複屈折構造体、  ４５…基板、  ４６…偏光膜、  ６０…光変調部、  ６０ｂ，６０ｇ，６０ｒ…液晶ライトバルブ、  ３６０ｂ，３６０ｇ，３６０ｒ…液晶ライトバルブ、  ６１ｂ，６１ｇ，６１ｒ…液晶パネル、  ６２ｂ，６２ｇ，６２ｒ…第１偏光素子、  ６３ｂ，６３ｇ，６３ｒ…第２偏光素子、  ６５ｂ…補助偏光素子、  ７０…光合成部、  ７１ａ，７１ｂ…ダイクロイックミラー、  ８０…投射光学系、  １００…プロジェクター、  ＩＬ…照明光、  ＬＢ，ＬＧ，ＬＲ…色光、  ＯＡ１，ＯＡ２…光学軸、  ＯＰ１，ＯＰ２，ＯＰ３…光路、  ＳＡ…システム光軸、  ＲＸ…反射軸、  ＴＸ…透過軸
【図１】
2011090025.tif 000003
【図２】
2011090025.tif 000004
【図３】
2011090025.tif 000005
【図４】
2011090025.tif 000006
【図５】
2011090025.tif 000007
【図６】
2011090025.tif 000008
【図７】
2011090025.tif 000009